(57)【要約】【課題】先端チップ１と入力ペンを把持する使用者の手が電気的に導通可能に構成できるとともに、先端チップ１を先金２に確実に取り付けられる入力ペンに使用できる。【解決手段】操作領域を入力ペンや指によって操作し、操作領域の操作部分の位置を静電容量変化に伴う電気量変化によって検出し、操作部分の位置を入力する入力装置に用いる入力ペン。この入力ペンの先端チップ１を導電性ゴムで構成する。この先端チップ１を導電性を有する金属で構成された先金２に挿入し、先金２に形成した内方突部２Ｄにより先端チップ１を固定するとともに、先端チップ１の先端を先金２より突出させる。この先金２を導電性を有する軸筒３に取り付けることにより、軸筒３を保持する手と先端チップ１が導通可能に構成される。【選択図】図１
2012088889.tif 000002
【特許請求の範囲】
【請求項１】
操作領域を入力ペンや指によって操作し、操作領域の操作部分の位置を静電容量変化に伴う電気量変化によって検出し、操作部分の位置を入力する入力装置に用いる入力ペンにおいて、先端チップを導電性ゴムで構成し、この先端チップを導電性を有する金属で構成された先金に挿入し、かつ、先金に形成した内方突部により先端チップを固定するとともに先端チップの先端を先金より突出させて構成し、この先金を導電性を有する軸筒に取り付けることにより、軸筒を保持する手と先端チップが導通可能に構成したことを特徴とする入力ペン。
【請求項２】
弾性体の外側に導電性ゴムからなる外皮を被せて先端チップを構成したことを特徴とする請求項１記載の入力ペン。
【発明の詳細な説明】
【技術分野】
【０００１】
本発明は、操作領域を入力ペンの先端チップで軽くなぞることにより、静電容量変化に伴う電気量変化によって位置を検出し、スムースなカーソル移動ができる入力装置に用いる入力ペンに関するものである。
【背景技術】
【０００２】
従来、導電性ゴムで構成された先端チップを前部に設けた入力ペンが知られている。（特許文献１参照）
【０００３】
しかしながら、上記入力ペンは、軸筒に先端チップを取り付けたり、先端チップを取り付けた芯部材を軸筒に取り付けて構成していたため、先端チップが外れる恐れがあるといった課題があった。
【先行技術文献】
【特許文献】
【０００４】
【特許文献１】特許第４１４２７７６号公報
【発明の概要】
【発明が解決しようとする課題】
【０００５】
解決しようとする問題点は、弾性を有する先端チップを芯部材や軸筒に圧入固着して取り付けると、先端チップが外れ易いという点である。
【課題を解決するための手段】
【０００６】
本発明は、操作領域を入力ペンや指によって操作し、操作領域の操作部分の位置を静電容量変化に伴う電気量変化によって検出し、操作部分の位置を入力する入力装置に用いる入力ペンにおいて、先端チップを導電性ゴムで構成し、この先端チップを導電性を有する金属で構成された先金に挿入し、かつ、先金に形成した内方突部により先端チップを固定するとともに先端チップの先端を先金より突出させて構成し、この先金を導電性を有する軸筒に取り付けることにより、軸筒を保持する手と先端チップが導通可能に構成したことを最も主要な特徴とする。
【発明の効果】
【０００７】
本発明は、先端チップが先金に確実に取り付けられ外れる恐れがないとともに、先端チップを取り付けた先金が軸筒に簡単に取り付けられるという利点が得られるものである。
【図面の簡単な説明】
【０００８】
【図１】図１は、本発明の実施例１の入力ペンを示す断面図である。（実施例１）
【図２】図２は、図１の入力ペンの先端チップと先金を示す断面図である。（実施例１）
【図３】図３は、本発明の実施例２の入力ペンの先端チップと先金を示す断面図である。（実施例２）
【図４】図４は、本発明の実施例３の入力ペンを示す断面図である。（実施例３）
【発明を実施するための形態】
【０００９】
先端チップから軸筒を保持する手に電気的に導通可能に構成でき、かつ、先端チップを確実に先金に取り付けることができる入力ペンに用いることができる。
【実施例１】
【００１０】
以下、図１及び図２に基づいて本発明における実施例１の入力ペンを説明する。また、図１の左側を前方とし、右側を後方とする。先端が半円状に形成された先端チップ１を導電性ゴムにより構成する。また、先金２は導電性を有する金属で構成され、前部に外鍔２Ａを形成するとともに筒部２Ｂ後端に内鍔２Ｃを形成する。この先金２に前記先端チップ１を前方より挿入し、筒部２Ｂを外方からカシメ加工を行って内方突部２Ｄを形成する。この内方突部２Ｄにより図２に示したように先端チップ１を先金２に確実に固定するとともに、先端チップ１の先端を先金２より突出する。前記先金２をステンレス等の導電性を有する金属で構成された軸筒３の前部に圧入固着する。この軸筒３の後部にクリップ４を取り付けるとともに、軸筒３の後端に尾栓５を固着し、入力ペンを構成する。
【００１１】
前記入力ペンの軸筒３を手で保持すれば、先金２を介して手と先端チップ１が電気的に導通する。したがって、先端チップ１が入力ペンの軸筒３を把持する使用者の手と同電位に維持される。
【００１２】
この入力ペンの先端チップ１を入力装置の操作領域に軽く押圧すれば、先端チップ１の先端が変形して所定の接触面積が得られ、操作部分と使用者の手との間には、接触面積に依存した静電容量が形成される。この静電容量の変化に伴う電気量変化によって位置を検出し、先端チップ１が接触した位置を入力する。
【実施例２】
【００１３】
以下、図３に基づいて本発明における実施例２の入力ペンの先端チップと先金を説明する。尚、図１と同一部材は同一の符号を付してその説明を省略する。先端チップは、比較的柔らかい弾性体６と、弾性体６に被着した薄肉の導電性ゴムからなる外皮７により構成する。この先端チップを先金２に前方から挿入し、筒部２Ｂを外方からカシメ加工を行い内方突部２Ｄを形成する。この内方突部２Ｄにより外皮７を内側に変形させて先金２に先端チップを固定する。したがって、薄肉の外皮７も外れることなく確実に取り付けられる。
【実施例３】
【００１４】
以下、図４に基づいて本発明における実施例３の入力ペンを説明する。尚、図１と同一部材は同一の符号を付してその説明は省略する。導電性を有する金属で構成され前部に外鍔１２Ａを形成した先金１２に雄ネジ部１２Ｅを形成する。この先金１２に先端チップ１を前方より挿入し、筒部１２Ｂをカシメ加工して内方突部１２Ｄを形成する。この内方突部１２Ｄにより先端チップ１を先金１２に確実に固定するとともに、先端チップ１の先端を先金１２より突出する。また、軸筒を、非導電性の合成樹脂で形成された後軸８と、後軸８の把持部８Ａに被せられた導電性ゴムで構成されたゴムグリップ９で構成する。この後軸８の後部に尾栓１５を固着する。更に、後軸８の前部に先金１２を着脱可能に螺合し、先金１２の外鍔１２Ａをゴムグリップ９の前端に接触させ入力ペンを構成する。
【００１５】
前記入力ペンの軸筒を構成するゴムグリップ９を手で保持すれば、先金１２を介して手と先端チップ１が電気的に導通する。したがって、先端チップ１が入力ペンの軸筒を把持する使用者の手と同電位に維持される。
【００１６】
尚、本発明は上記実施例に限定されるものではなく、軸筒は複数の部材を固着して一体化し構成することも可能である。また、導電性ゴムは、天然ゴム、ニトリルゴム、シリコンゴム等の中にカーボンブラックあるいは金属等の導電剤を大量に入れて構成するが、比較的柔らかい導電性ゴムを用いることが好ましい。
【産業上の利用可能性】
【００１７】
先端チップと入力ペンを把持する使用者の手が同電位に維持されるとともに、先端チップを先金に確実に取り付けられる入力ペンに適用できる。
【符号の説明】
【００１８】
１    先端チップ
２    先金
２Ｄ    先金２の内方突部
３    軸筒
６    弾性体
７    外皮
１２    先金
１２Ｄ    先金１２の内方突部
【図１】
2012088889.tif 000003
【図２】
2012088889.tif 000004
【図３】
2012088889.tif 000005
【図４】
2012088889.tif 000006